(57)【要約】【構成】白樺由来の樹脂であるバーチパールをパラクレゾール・アセテートに溶解してバーチパール溶解物とし、これに他の天然物由来の香料成分を混合して配合物とする。次に再度パラクレゾール・アセテートを加え、最後に酢酸ベンジルを混合して、着香剤とする。【効果】天然皮革を内装に用いた高級車の匂いを再現できる。【選択図】              図１
2004238406.tif 000002
【特許請求の範囲】
【請求項１】
白樺由来の樹脂であるバーチパールをクレゾールアセテートに溶解したバーチパール溶解物と天然物由来の香料成分との配合物に、クレゾールアセテートと、酢酸ベンジルとを混合した、車両用の着香剤。
【請求項２】
バーチパール溶解物と、天然物由来の香料成分と、クレゾール・アセテートと、酢酸ベンジルとのの合計重量を１００重量部として、バーチパール溶解物が２０〜３５重量部、クレゾール・アセテートがバーチパール溶解物との重量比で１／１５〜１／６、かつバーチパール溶解物中のバーチパールが４〜８重量％で、酢酸ベンジルが２０〜６０重量部で、他が天然物由来の香料成分である、請求項１の車両用の着香剤。
【請求項３】
前記の重量比が、以下の物質の合計重量を１００重量部として、バーチパール溶解物が２５〜３０重量部、クレゾール・アセテートがバーチパール溶解物との重量比で１／１２〜１／６、酢酸ベンジルが３０〜４５重量部であり、他の天然物由来の香料成分が２７〜３７重量部であることを特徴とする、請求項２の着香剤。
【請求項４】
他の天然物由来の香料成分が、ローズオイルとムスクと、イランイランオイルまたはオークモスアブソリュートであることを特徴とする、請求項３の着香剤。
【請求項５】
バーチパール溶解物が２５〜３０重量部、クレゾール・アセテート及びバーチパール溶解物中のクレゾール・アセテートが共にパラクレゾール・アセテートでかつバーチパール溶解物との重量比で１／１２〜１／６、酢酸ベンジルが３０〜４５重量部であり、ローズオイルが１０〜１６重量部、ムスクが８〜１２重量部、イランイランオイルが４〜６重量部、オークモスアブソリュートが３〜５重量部であることを特徴とする、請求項４の着香剤。
【請求項６】
着香剤をゲル化剤でゲル化し、自動車の内装材の内側に隠れるように取り付けて用いるようにしたことを特徴とする、請求項１〜５のいずれかの着香剤。
【請求項７】
白樺由来の樹脂であるバーチパールをクレゾールアセテートで溶解してバーチパール溶解物とし、
バーチパール溶解物を天然物由来の香料成分と混合して配合物とし、
この配合物にクレゾールアセテートを加えた後に、酢酸ベンジルを混合するようにした、車両用の着香剤の製造方法。
【発明の詳細な説明】
【０００１】
【発明の利用分野】
この発明は、乗用車等の車両に用いる着香剤とその製造方法に関し、特に新車の匂いを再現することに関する。
【０００２】
【従来技術】
【特許文献１】米国特許５９１６５２８号公報
発明者らは、新車の匂いを再現するための着香方法と着香器、並びに用いる着香剤を提案した（特許文献１）。ここで提案した着香剤の特徴は、酢酸ベンジルと香料成分とを含む点であった。酢酸ベンジルは溶剤臭に対応し、乗用車などに使用されている様々な化学物質、例えばレザー類やプラスチック中の可塑剤などに対応する匂いである。
【０００３】
その後、発明者は、特許文献１で開示した着香剤は、天然皮革などを内装に用いた高級車の匂いを再現していないことに気付いた。例えば天然皮革などを用いた高級車の匂いを官能的に説明すると、少し甘くて、それでいて苦く、乾いた感じの匂いである。
【０００４】
【発明の課題】
この発明の課題は、天然皮革などを内装に用いた高級車の匂いを表現した着香剤とその製造方法を提供することにある。
【０００５】
【発明の構成】
この発明の車両用の着香剤は、白樺由来の樹脂であるバーチパールをクレゾールアセテートに溶解してバーチパール溶解物と天然物由来の香料成分とを配合して配合物とし、この配合物にクレゾールアセテートと、酢酸ベンジルとを混合したものである。なおバーチパール配合物中の、バーチパール濃度は例えば４〜８重量％。好ましくは５〜６重量％とする。
好ましくは、バーチパール溶解物と、天然物由来の香料成分と、クレゾールアセテートと、酢酸ベンジルとの合計を１００重量部として、バーチパール溶解物が２０〜３５重量部、クレゾール・アセテートがバーチパール溶解物との重量比で１／１５〜１／６、酢酸ベンジルが２０〜６０重量部で、他が天然物由来の香料成分とする。なおバーチパール溶解物中やバーチパール溶解物とは別に加えるクレゾール・アセテートは、オルソやメタのクレゾール・アセテートでもよいが、好ましくは共にパラクレゾール・アセテートとする。
【０００６】
好ましくは、前記の重量が、以下の物質の合計重量を１００重量部として、バーチパール溶解物が２５〜３０重量部、クレゾール・アセテートがバーチパール溶解物との重量比で１／１２〜１／６、酢酸ベンジルが３０〜４５重量部であり、他の天然物由来の香料成分が２７〜３７重量部である。
他の天然物由来の香料成分は好ましくは、ローズオイルとムスクと、イランイランオイルまたはオークモスアブソリュートとする。
【０００７】
特に好ましくは、前記の重量が、以下の物質の合計重量を１００重量部として、バーチパール溶解物が２５〜３０重量部、クレゾール・アセテートはパラクレゾール・アセテートでかつバーチパール溶解物との重量比で１／１２〜１／６、酢酸ベンジルが３０〜４５重量部であり、ローズオイルが１０〜１６重量部、ムスクが８〜１２重量部、イランイランオイルが４〜６重量部、オークモスアブソリュートが３〜５重量部である。
【０００８】
この発明の着香剤は例えばゲル化剤でゲル化し、自動車の内装材の内側に隠れるように取り付けて、例えば座席シートの下側に挟み込んだり、ドアポケットや座席シートの後ろ側のポケット内に収容して用いる。
また着香剤成分に、上記のもの以外の成分（部外成分）を加える場合、部外成分を無視し、上記の成分の合計量を１００重量部として、重量を換算する。
【０００９】
バーチパールはクレゾールアセテートと２回に渡り混合されているが、このことには重要な意味がある。即ち、バーチパール混合物を天然物由来の香料成分と配合した後に、再度クレゾールアセテート混合し、次いで酢酸ベンジルと混合することにより、天然皮革などを用いた高級車の匂いを表現できるのである。バーチパールは粘性が高く、比重も他の香料成分よりも高いので、一挙に他の成分と混合しても、充分にブレンドすることが難しい。そこでバーチパールをクレゾールアセテートと混合してバーチパール溶解物とし、他の天然物由来の香料成分との混合を容易にする。この混合物を配合物という。次にこの配合物を再度クレゾールアセテート混合し、次いで酢酸ベンジルと混合することにより、新車の匂いを再現できる。バーチパール配合物と、天然物由来の香料成分と、クレゾールアセテートと、酢酸ベンジルを一挙に混合すると、例えばペンキ臭になって、高級車の匂いにはならない。一方、前記の配合物に再度クレゾールアセテートを混合する代わりに、バーチパール溶解物でのバーチパール濃度をやや低下させて、クレゾールアセテートを最初から全量バーチパール溶解物に加えておくと、酢酸ベンジルと天然物由来の香料成分を別途に加えても、得られる臭いは例えばたばこのヤニ臭になり、新車の匂いにはならない。そこで、白樺由来の樹脂であるバーチパールをクレゾールアセテートで溶解してバーチパール溶解物とし、バーチパール溶解物を天然物由来の香料成分と混合して配合物とし、この配合物にクレゾールアセテートを加えた後に、酢酸ベンジルを混合することにより、車両用の着香剤を製造できる。
【００１０】
【発明の作用効果】
この発明では、バーチパール溶解物とクレゾール・アセテートを併用することにより、天然皮革を用いた座席シートなどの匂いを表現し、酢酸ベンジルで溶剤臭などの機械的ないし化学的な匂いを表現し、他の天然香料成分で華やかな匂いを表現して、全体としては天然皮革を用いた高級車の匂いを再現する。このため、乗用車を新車で購入した時の匂いに戻したり、中古車の転売時に匂いを新車に戻して付加価値を加えたり、他の車種の匂いにしてバリエーションを楽しんだりすることができる。
【００１１】
着香剤をゲル化してシート状などにし、車室にむき出しにではなく、座席シートの下などに挟み込んで、内装材に着香剤が隠れるようにすると、内装材に着香剤がしみついて、匂いの発生源が広がって、自動車自体の匂いを感じさせる自然な匂いとなる。
【００１２】
バーチパールをクレゾールアセテートに混合して溶解することにより、天然物由来の香料成分との混合が容易になる。バーチパールとクレゾールアセテートと天然物由来の香料成分との配合物では、これらが互いに会合して会合体を形成しており、単にこれらの成分が混合しているのとは異なる状態にある、と考えられる。次にこの会合体にクレゾールアセテートを加えることにより、会合体とは別にクレゾールアセテートが存在することになり、その後に酢酸ベンジルを加えることにより、所望の匂いとなる。
【００１３】
【実施例】
図１に実施例の着香シート２を示す。この着香シート２は、シリカ微粒子などのゲル化剤４で油性で液体の着香剤６をゲル化して、シート状に成形したものである。ゲル化剤の種類は無機物に限らず、天然や合成の高分子などでも良く、油性の着香剤６はゲル化によって固まり、垂れたり周囲の皮革や繊維などに液状にしみこんでしみを作ったりしなくなる。そして着香シート２は、例えば自動車の座席シートの下側や、サンバイザー、エアダクトの下、天井のルームライトの裏などに挟み込み、あるいはシートの後ろ側のポケットや、ドアポケット、グローブボックス、コンソールボックス横の小物入れなどに入れて、その匂いが座席シートなどの内装材にしみついて、乗用車の座席シートや内装材などの匂いであると感じられるようにする。言い換えると、着香剤シート２は、露出せずに、シートの下などや各種のポケット内に入れて、隠れるように車室内に配設して着香する。
【００１４】
この発明の着香剤は、天然皮革を用いた高級車に対応し、イメージとしては、少し甘くてそれでいて苦く、かつ乾いた感じのする匂いである。着香シート２を座席の下などに挟み込むと、匂いがゆっくりと座席シート全体にしみついて、天然皮革のイメージ（主としてバーチパール溶解物とパラクレゾール・アセテート）と、機械臭や溶剤臭（酢酸ベンジル）とを感じさせて、しかもローズオイル、イランイランオイル、オークモスアブソリュートの天然物香料により華やいだ感じの匂いとなる。そして全体としては、高級感のある乗用車の匂いとなる。
【００１５】
表１に着香剤の例を示す。この着香剤は、天然皮革をシートなどに用いたイタリアの高級車の、新車時の匂いを再現するように調合してある。なお着香剤の各成分は何れも油性で、沸点は何れも２００℃以上である。表２に好ましい調合範囲を示し、表１の調合から外れるほど、天然皮革を用いた高級乗用車の匂いから外れてくる。
【００１６】
着香剤の製造では、高粘性の樹脂であるバーチパールをパラクレゾール・アセテートに混合して、バーチパール溶解物とする。次にこの溶解物を香料成分と混合して配合物とする。そして配合物に再度パラクレゾール・アセテートを混合し、最後に酢酸ベンジルを混合する。これらの処理は例えば室温で行う。混合の順序を変えると匂いも変化し、バーチパール溶解物と、他の香料成分と、パラクレゾール・アセテートと、酢酸ベンジルとを一挙に混合すると、同じ組成でも、ペンキの臭いとなった。バーチパールに最初からパラクレゾール・アセテートを配合量の全量混合して溶解物とし、これに他の香料成分を配合し、次いで酢酸ベンジルを混合すると、同じ組成でも、たばこのヤニの臭いとなった。
【００１７】
【表１】
2004238406.tif 000003
＊  バーチパールは白樺より得られる樹脂で、溶解物の組成はバーチパール５重量％、パラクレゾール・アセテート９５重量％で、全体としては甘い匂いとなる。
３％のパラクレゾール・アセテートは、バーチパール溶解物中のパラクレゾール・アセテートとは別に添加する。
【００１８】
【表２】
2004238406.tif 000004
＊  バーチパール溶解物と他の天然物香料、パラクレゾール・アセテートと酢酸ベンジルの合計量を１００重量％とする。バーチパール溶解物以外の天然物香料の合計は、２７〜３７重量％が好ましい。
＊  パラクレゾール・アセテートは４バーチパール溶解物を他の香料成分と配合した後に添加し、バーチパール溶解物の１／１５〜１／６とし、好ましくは１／１２〜１／６とし、最適には１／９とする。
【００１９】
図２，図３に着香器の変形例を示す。この着香器１０では、紙などの外袋１２内に、紙などの内袋１４をスライド自在に収容し、内袋１４には開口１６などのガス通気孔を設ける。内袋１４内には、不織布１８で包んだ着香剤のペレット２０を収容し、ペレット２０が開口１６からこぼれ出すのを防止すると共に、ペレットから着香シート２への加工時の熱処理を省略し、加工中に匂いが失われるのを少なくする。そして外袋１２に対する内袋１４のスライドで、開口１６の露出面積を調整して、匂いの強弱を調整できるようにする。
【００２０】
図４は他の変形例の着香器３０を示し、３２，３２はラミネートフィルムで、袋状に熱圧着され、３４はガス透過性フィルム、３６は開口、３８は剥離可能なシールである。４０は担持された着香剤で、不織布、ゴム、けい藻土、シリカゲルなどの適宜の担体に、油性の着香剤を担持したものである。この変形例の場合、シール３８を剥がすことにより、開口３６が露出して、着香剤が徐々に蒸発する。着香剤がしみ出す恐れが無い場合、ガス透過性フィルム３４は不要である。
【図面の簡単な説明】
【図１】実施例の着香器を示す斜視図
【図２】着香器の変形例を示す平面図
【図３】図２の着香器の３−３方向断面図
【図４】着香器の他の変形例を示す断面図
【符号の簡単な説明】
２          着香シート
４          ゲル化剤
６          着香剤
１０，３０  着香器
１２        外袋
１４        内袋
１６        開口
１８        不織布
２０        着香剤ペレット
３２        ラミネートフィルム
３４        ガス透過性フィルム
３６        開口
３８        シール
４０        担持された着香剤
【図１】
2004238406.tif 000005
【図２】
2004238406.tif 000006
【図３】
2004238406.tif 000007
【図４】
2004238406.tif 000008